(57)【要約】【課題】キャップと本体とを単に軸方向に移動させるだけでなく、何れか一方を回転させることによって分離することを可能とするキャップ及び本体の接合構造を提供すること。【解決手段】キャップ１の突出した内側部分を本体２側に挿嵌し、キャップ１の外側の端部と本体２の外側の端部とが相互に接合していることによる接合構造において、キャップ１の外側の端部及び本体２の外側の端部が軸方向に対して、傾斜した方向に切断された形状であることに基づく筆記用具、又は化粧用具におけるキャップ１と本体２との接合構造。【選択図】          図１
2005041069.tif 000002
【特許請求の範囲】
【請求項１】
キャップの突出した内側部分を本体側に挿嵌し、キャップの外側の端部と本体の外側の端部とが相互に接合していることによる接合構造において、キャップの外側の端部及び本体の外側の端部が軸方向に対して、傾斜した方向に切断された形状であることに基づく筆記用具、又は化粧用具におけるキャップと本体との接合構造。
【請求項２】
本体の後側における外側の端部を斜方向に切断した形状とし、かつ当該後側における外側の端部に内側パイプを設けることによって、使用段階においてキャップの突出した内側パイプとの挿嵌を実現していることを特徴とする請求項１記載の筆記用具、又は化粧用具におけるキャップと本体との接合構造。
【請求項３】
キャップの内側突出部分の内側面に、軸と直交する方向の凹溝を形成し、本体の内側パイプを軸方向に分割状態とすることによって、中心軸に向かう方向に可撓性を有する状態としたうえで、内側パイプに当該凹溝と嵌合し得る凸部を設けることによってキャップの内側突出部分と本体の内側パイプとの挿嵌を実現することを特徴とする請求項１、２記載の筆記用具、又は化粧用具におけるキャップと本体との接合構造。
【請求項４】
本体の内側パイプの周囲にＯリングを設け、当該Ｏリングの外側部分とキャップの内側突出部分の内側面とを摺動自在とすることによって、キャップと本体との挿嵌を実現し得ることを特徴とする請求項１、２記載の筆記用具、又は化粧用具におけるキャップと本体との接合構造。
【発明の詳細な説明】
【０００１】
【発明の属する技術分野】
本発明は、キャップを有している筆記用具、又は化粧用具における本体との接合構造に関するものである。
【０００２】
【従来の技術】
キャップを有している筆記用具、及び化粧用具の内、キャップの内側突出部分を本体の前側部分に挿嵌し、かつキャップの外側の端部と本体の外側の端部とを接合した状態とすることによって、双方の接合状態を実現している構成においては、通常図７に示すように、双方の外表面の端部は、軸方向と直交した方向の切断面を形成している。
【０００３】
しかしながら、このような形状による接合構造においては、キャップ１と本体２とを離脱する際、単に双方を引っ張ることを不可欠としており、双方の内少なくとも一方を回転させることによって双方を離脱させることは不可能である。
【０００４】
しかるに、上記接合による構成において、双方の一方を回転させることによって、双方を離脱させる構成はこれまで提唱されていない。
【０００５】
因みに、登録第３０２４７８４号（平成７年実用新案登録願第１３６２２号のマイクロフィルム）においては、軸方向にスライドすることによって、キャップと筆記用具との接合を実現しているが、回転によって双方を離脱させるような構成は全く検討の対象とされていない。
【０００６】
【関連特許】
登録第３０２４７８４号（平成７年実用新案登録願第１３６２２号のマイクロフィルム）
【０００７】
【発明が解決しようとする課題】
本発明は、このような従来技術の欠点を克服し、簡単な構成でありながら、回転によってキャップと本体との離脱を実現し得るような構成を提供することを開発するものである。
【０００８】
【課題を解決するための手段】
前記課題を解決するため、本発明の構成は、キャップの突出した内側部分を本体側に挿嵌し、キャップの外側の端部と本体の外側の端部とが相互に接合していることによる接合構造において、キャップの外側の端部及び本体の外側の端部が軸方向に対して、傾斜した方向に切断された形状であることに基づく筆記用具、又は化粧用具におけるキャップと本体との接合構造からなる。
【０００９】
【発明の実施の形態】
図１（ａ）、（ｂ）に示すように、本発明においては、キャップ１の外側の端部と本体２の外側の端部とが軸方向に対し垂直ではなく、傾斜した方向に切断された形状を有していることを基本的特徴としている。
【００１０】
このような傾斜した方向の切断形状によって、キャップ１又は本体２の何れか一方を回転させた場合には、キャップ１の外側の端部と本体２の外側の端部とが双方に離脱するように軸方向に移動し、キャップ１を本体２から外すことが可能となる。
【００１１】
前記傾斜した方向による切断形状の軸方向に対する角度は、キャップ１及び本体２の太さによって左右され、キャップ１及び本体２が太いほど大きな角度を設定することができ、細いほど小さな角度を設定せざるを得ないが、通常、約３０度ないし７０度の範囲に設定することが多い。
【００１２】
傾斜した方向に切断する形状としては、図１（ａ）、（ｂ）に示すように、直線状の切断形状の場合だけでなく、例えば図２（ａ）、（ｂ）に示すように、湾曲した状態による切断形状も可能である。
但し、回転によって、キャップ１と本体２とをスムースに分離させるには、直線状の切断形状の方が好ましい。
【００１３】
キャップ１の内側突出部分１１を摩擦によって保持する実施態様としては、図３に示すように、キャップ１の内側突出部分１１の内側面に、軸と直交する方向の凹溝を形成し、本体２の内側パイプ２１を軸方向に分割状態とすることによって、中心軸に向かう方向に可撓性を有する状態としたうえで、内側パイプ２１に当該凹溝と嵌合し得る凸部を設けることによってキャップ１の内側突出部分１１と本体２の内側パイプ２１との挿嵌を実現することによる構成、
又は図４に示すように、本体２の内側パイプ２１の周囲にＯリング４を設け、当該Ｏリング４の外側部分とキャップ１の内側突出部分１１の内側面とを摺動自在とすることによって、キャップ１と本体２との挿嵌を実現し得ることによる構成などを採用することができる。
【００１４】
特に、図４に示す構成は、ゴムを素材とするＯリング４を使用するため、キャップ１と本体２の内側パイプ２１との間において、弾性バネを使用する場合のような、金属同士の摺動による不快音の発生を防止することができ、しかも、安定かつ永続的な保持を実現し得る点において優れている。
【００１５】
このように、本発明においては、キャップ１、本体２の少なくとも何れか一方を回転することによって双方の分離を実現し得るが、従来技術の場合と同じように、軸方向に何れか一方を移動させることによって分離することもまた当然可能である。
【００１６】
以下、実施例に従って説明する。
【００１７】
【実施例】
実施例においては、図５に示すように、本体２の後側における外側の端部を斜方向に切断した形状とし、かつ当該後側における外側の端部に内側パイプ２１を設けることによって、使用段階においてキャップ１の突出した内側パイプ２１との挿嵌を実現していることを特徴としている。
【００１８】
実施例においては、使用段階においてキャップ１を本体２の後方から挿嵌し、使用終了後、キャップ１又は本体２の何れか一方を回転することによって双方を分離することができる。
尚、実施例のように、本体２の後側における外側の端部を斜方向の切断形状を採用した場合においても、内側パイプ２１につき、図３又は図４の如き設計を採用することができるのは当然である。
【００１９】
実施例においては、キャップ１の先端についても、斜方向の切断断面形状を採用することによって、図６に示すように、キャップ１の先端、キャップ１と本体２との接合部分、本体１の後端が何れも斜方向の切断形状を呈することになり、シャープな印象を与えることができる。
【００２０】
【発明の効果】
以上のように、本発明においては、キャップ１又は本体２の何れか一方を回転させることによって双方分離することが可能となり、使用上極めて便利であるばかりか、キャップ１及び本体２の外側の端部同士が接続する構造を採用するため、全体としてスマートな印象を与えるという意匠上の効果をも得ることができる。
【図面の簡単な説明】
【図１】本発明の基本構成を示す側面図であり、（ａ）はキャップと本体とが挿嵌される前段階を示しており、（ｂ）は挿嵌によって接合した状態を示す。
【図２】キャップの外側の端部、及び本体の外側の端部が、特に湾曲した状態による切断形状であることを示す側面図であり、（ａ）はキャップと本体とが挿嵌される前段階を示しており、（ｂ）は挿嵌によって接合した状態を示す。
【図３】キャップの内側に設けた凹溝に対し、内側パイプの凸部によって嵌入することができる実施形態を示す側断面図である。
【図４】本体の内側パイプの周囲に設けたＯリングとキャップの内側面とを摺動自在とすることによって、嵌入させることによる実施形態を示す側断面図である。
【図５】実施例の基本構成を示す側面図であり、（ａ）は挿嵌する前段階を示しており、（ｂ）は挿嵌によって接合した状態を示す。
【図６】実施例の構成の内、特にキャップの先端側をも斜方向に切断した形状である場合を示す側面図である。
【図７】従来の技術による構成を示す側面図である。
【符号の説明】
１：キャップ
１１：内側突出部分
１２：キャップの外側
２：本体
２１：内側パイプ
２２：本体の外側
２３：口金部分
３１：キャップの内側突出部分に設けた凹溝
３２：内側パイプの凸部
４：Ｏリング
【図１】
2005041069.tif 000003
【図２】
2005041069.tif 000004
【図３】
2005041069.tif 000005
【図４】
2005041069.tif 000006
【図５】
2005041069.tif 000007
【図６】
2005041069.tif 000008
【図７】
2005041069.tif 000009